(57)【要約】【課題】  飲食物にとろみ剤を加えた後に、掻き混ぜを迅速に行える介護用掻き混ぜ具の提供である。【解決手段】  柄部１の先端部にスプーン状の掻き混ぜ部２が一体に設けられ、その後端部に、粉状のとろみ剤Ｔを計量するための計量容器部Ｋ1 が一体に設けられた介護用掻き混ぜ具Ｓ1 であって、当該掻き混ぜ具Ｓ1 の柄部１の掻き混ぜ部２の側を持って、当該計量容器部Ｋ1 の計量空間１１にとろみ剤Ｔを収容して計量して、嚥下障害者Ｐの飲食物Ｆに、計量されたとろみ剤Ｔを注いだ後に、当該掻き混ぜ具Ｓ1 の前後端を反転させて、当該掻き混ぜ具Ｓ1 を持ち替えて、前端の掻き混ぜ部２により、飲食物Ｆととろみ剤Ｔを掻き混ぜる。【選択図】  図９
2018011750.tif 000002
【特許請求の範囲】
【請求項１】
粉状のとろみ剤の計量と、当該とろみ剤と飲食物との掻き混ぜとを行う計量器付介護用掻き混ぜ具であって、
柄部の前端部に掻き混ぜ部が一体に設けられ、その後端部に、前記とろみ剤を計量する計量容器部が一体に設けられ、
前記計量時及び前記掻き混ぜ時には、前記柄部の前後端部を反転させて、持ち替えることを特徴とする計量容器付介護用掻き混ぜ具。
【請求項２】
前記掻き混ぜ部は、嚥下障害者に対する飲食介助時には、とろみ状の飲食物を掬い取る飲食部として機能し得る形状であることを特徴とする請求項１に記載の計量容器付介護用掻き混ぜ具。
【請求項３】
前記掻き混ぜ部は、中央部が最も低い凹状であって、飲食物を掬い取ることが可能なスプーン状になっていることを特徴とする請求項１又は２に記載の計量容器付介護用掻き混ぜ具。
【請求項４】
前記計量容器部の開口は、前記掻き混ぜ部の掬い面と同一面側に形成され、当該計量容器部は，平面視において、前記柄部の長手方向に沿った細長比の大きな長方形状になっていることを特徴とする請求項３に記載の計量容器付介護用掻き混ぜ具。
【請求項５】
前記計量容器部の内側面には、全容量の半分を示す表示ラインが前記柄部の長手方向に沿って形成されていることを特徴とする請求項１ないし４のいずれかに記載の計量容器付介護用掻き混ぜ具。
【請求項６】
掻き混ぜ具全体の重心は、前記柄部の長手方向に沿って前記計量容器部内に配置されることで、当該掻き混ぜ具は、前記掻き混ぜ部が非接触状態で、載置面に載置可能であることを特徴とする請求項１ないし５のいずれかに記載の計量容器付介護用掻き混ぜ具。
【発明の詳細な説明】
【技術分野】
【０００１】
本発明は、介護者が嚥下障害者に提供する飲食物の準備の際に使用される計量容器付介護用掻き混ぜ具に関するものである。
【背景技術】
【０００２】
嚥下障害者の飲食には、飲食物が気管に流れ込まないように、とろみを付けた飲食物が用いられる。嚥下障害者の飲食物にとろみを付けるには、粉状のとろみ剤を計量容器により所定量だけ計量して、飲食物（吸い物、味噌汁、お茶、水等）に加えた後に、飲食用のスプーンで掻き混ぜる。この時、飲食物にとろみ剤を加えた後に、スプーンによる掻き混ぜ（かく拌）を素早く行わないと、ダマが発生して、飲食に適さなくなる。
【０００３】
従来は、介護者がとろみ剤の計量容器と飲食用のスプーンとの２種類の調理及び飲食の各器具を持ち替えて、飲食物にとろみを付ける作業を行っていて、時間を要するためにダマが発生し易いのに加えて、器具の持ち替え時に、あわてるために、スプーン、或いは計量容器を落とすことで、不衛生となる問題があった。
【０００４】
食用粉体類の計量容器（特許文献１〜３参照）と、飲食用スプーンとは、殆どの場面で、それぞれ専用の計量及び飲食の用途のみで使用されていた。特許文献２，３に開示のスプーンは、長手方向の両端部に、いずれも容量の異なる計量容器部が設けられた構成であるが、その用途は、計量のみである。
【先行技術文献】
【特許文献】
【０００５】
【特許文献１】特開２０１１−８０７７９号公報
【特許文献２】特開２０１２−２７７９号公報
【特許文献３】実用新案登録第３００６２６１号公報
【発明の概要】
【発明が解決しようとする課題】
【０００６】
本発明は、飲食物にとろみ剤を加えた後に、当該とろみ剤と飲食物との掻き混ぜを迅速に行える介護用掻き混ぜ具の提供を課題としている。
【課題を解決するための手段】
【０００７】
上記の課題を解決するための請求項１の発明は、粉状のとろみ剤の計量と、当該とろみ剤と飲食物との掻き混ぜとを行う計量器付介護用掻き混ぜ具であって、
柄部の前端部に掻き混ぜ部が一体に設けられ、その後端部に、前記とろみ剤を計量する計量容器部が一体に設けられ、
前記計量時及び前記掻き混ぜ時には、前記柄部の前後端部を反転させて、持ち替えることを特徴としている。
【０００８】
請求項１の発明によれば、嚥下障害者の介護者が、掻き混ぜ具の前端部の掻き混ぜ部の側を持って、容器に収容されたとろみ剤の内部に、柄部の後端部の計量容器部を差し込んで、当該計量容器部にとろみ剤を収容させることで、設定量のとろみ剤が計量される。次に、介護者は掻き混ぜ具の掻き混ぜ部の側を持ったままで、嚥下障害者の飲食容器内の飲食物に対して、柄部の後端部の計量容器部に収容されたとろみ剤を加え、その直後に、掻き混ぜ具の前後端を反転させることで、当該掻き混ぜ具を持ち替えて、前端部の掻き混ぜ部により、とろみ剤が加えられた飲食物を掻き混ぜる。
【０００９】
このように、掻き混ぜ具の前端側の掻き混ぜ部と、後端側の計量容器部の側とを、前後反転させて途中で持ち替えることで、とろみ剤を計量して、嚥下障害者の飲食物に当該とろみ剤を加える作業（とろみ剤計量添加作業）と、とろみ剤が加えられた飲食物を掻き混ぜる作業（とろみ剤掻き混ぜ作業）とを、時間的及び動作的の双方において連続して行えるので、ダマが発生することなく、飲食物にとろみを付けることが可能となる。
【００１０】
また、請求項１の発明に係る介護用掻き混ぜ具は、掻き混ぜ機能をする器具と、とろみ剤の計量具との２つの器具を一体化したものであるため、洗浄及び管理が容易となって、嚥下障害者を収容する病院・施設等において、食事に関連する業務の効率向上が図られる。
【００１１】
請求項２の発明は、請求項１の発明において、前記掻き混ぜ部は、嚥下障害者に対する飲食介助時には、とろみ状の飲食物を掬い取る飲食部として機能し得る形状であることを特徴としている。
【００１２】
請求項２の発明によれば、介護用掻き混ぜ具の前端部の掻き混ぜ部は、とろみ状の飲食物を掬い取る飲食部として機能しているため、掻き混ぜ具の柄部の計量容器部の側を持って、当該掻き混ぜ部により、飲食物ととろみ剤とを掻き混ぜた後に、そのままの状態で、前端側の掻き混ぜ部を利用して、とろみ状となった飲食物を嚥下障害者の口部に供給して、飲食介助を行える。
【００１３】
請求項３の発明は、請求項１又は２の発明において、前記掻き混ぜ部は、中央部が最も低い凹状であって、飲食物を掬い取ることが可能なスプーン状になっていることを特徴としている。
【００１４】
請求項３の発明によれば、前端側の掻き混ぜ部がスプーン状になっているため、とろみ状の飲食物の掬い上げを良好に行えて、嚥下障害者に対する飲食介助が一層に容易となる。
【００１５】
請求項４の発明は、請求項３の発明において、前記計量容器部の開口は、前記掻き混ぜ部の掬い面と同一面側に形成され、当該計量容器部は，平面視において、前記柄部の長手方向に沿った細長比の大きな長方形状になっていることを特徴としている。
【００１６】
請求項４の発明によれば、掻き混ぜ具の計量容器部の開口と、スプーン状の掻き混ぜ部の掬い面とが同一面側に形成されているため、当該掻き混ぜ具を持ち替えて、「とろみ剤計量添加作業」と「とろみ剤掻き混ぜ作業」とを行う際における掻き混ぜ具の持ち替えが容易となる利点がある。また、計量容器部は、平面視において、前記柄部の長手方向に沿った細長比の大きな長方形状になっているため、掻き混ぜ具のスプーン状の掻き混ぜ部により、飲食物ととろみ剤とを掻き混ぜたり、或いは介護者が嚥下障害者に対して飲食介助を行う際に、計量容器部が介護者の指部の間、或いは掌内にうまく納まることで、掻き混ぜ具の操作が行い易い利点がある。
【００１７】
請求項５の発明は、請求項１ないし４のいずれかの発明において、前記計量容器部の内側面には、全容量の半分を示す表示ラインが前記柄部の長手方向に沿って形成されていることを特徴としている。
【００１８】
請求項５の発明によれば、飲食物に対するとろみ剤の添加量が少ない場合には、計量容器部の内側面に形成された表示ラインによって、全容量に対するとろみ剤の収容量を目視で判断可能となるため、とろみ剤の添加量が少ない場合の計量に便利である。
【００１９】
請求項６の発明は、請求項１ない５のいずれかの発明において、掻き混ぜ具全体の重心は、前記柄部の長手方向に沿って前記計量容器部内に配置されることで、当該掻き混ぜ具は、前記掻き混ぜ部が非接触状態で、載置面に載置可能であることを特徴としている。
【００２０】
請求項６の発明によれば、柄部の後端部に計量容器部が一体に形成された構成によって、掻き混ぜ具全体の柄部の長手方向に沿った重心は、当該計量容器部の側に大きく移動するため、当該計量容器部の形状又は肉厚の選択によって、掻き混ぜ具全体の重心を柄部の長手方向に沿って当該計量容器部内に配置することが可能となる。よって、特別な自立構造を採用することなく、掻き混ぜ具の後端部に形成される計量容器部の形状又は肉厚の選択のみによって、当該掻き混ぜ具は、前記掻き混ぜ部が非接触状態で、載置面に載置することができて、スプーンを衛生的に使用できる。
【発明の効果】
【００２１】
本発明によれば、介護用掻き混ぜ具の前後端部を反転させて、前端側の掻き混ぜ部と後端側の計量容器部の側とを、途中で持ち替えることで、とろみ剤計量添加作業と、とろみ剤掻き混ぜ作業とを、時間的及び動作的の双方において連続して行えるので、ダマが発生することなく、飲食物にとろみを付けることが可能となる。また、本発明に係る介護用掻き混ぜ具は、専用の掻き混ぜ具と、とろみ剤の計量具との２つの器具を一体化したものであるため、洗浄及び管理が容易となって、嚥下障害者を収容する病院・施設等において、食事に関連する業務の効率向上が図られる。
【図面の簡単な説明】
【００２２】
【図１】（ａ），（ｂ）は、それぞれ本発明に係る介護用掻き混ぜ具Ｓ1 を異なる方向から見た斜視図である。
【図２】（ａ）〜（ｃ）は、それぞれ本発明に係る介護用掻き混ぜ具Ｓ1 の平面図、底面図及び正面図である。
【図３】（ａ），（ｂ）は、それぞれ本発明に係る介護用掻き混ぜ具Ｓ1 の右側面図及び左側面図である。
【図４】（ａ）は、図２（ａ）のＸ1 −Ｘ1 線断面図であり、（ｂ）は、図２（ａ）のＸ2 −Ｘ2 線拡大断面図である。
【図５】（ａ），（ｂ）は、それぞれ介護用掻き混ぜ具Ｓ1 の計量容器部Ｋ1 にすりきり一杯、及び半分だけとろみ剤Ｔを収容した状態の拡大縦断面図である。
【図６】（ａ），（ｂ）は、それぞれ本発明に係る介護用掻き混ぜ具Ｓ1 及び従来のスプーンＳ’を水平の載置面Ｅに設置した状態の側面図である。
【図７】介護用掻き混ぜ具Ｓ1 の計量容器部Ｋ1 に、収容容器２１に収容されたとろみ剤Ｔを収容している状態の斜視図である。
【図８】介護用掻き混ぜ具Ｓ1 の計量容器部Ｋ1 に収容されたとろみ剤Ｔを、嚥下障害者Ｐの飲食物Ｆに添加している状態の斜視図である。
【図９】介護用掻き混ぜ具Ｓ1 を持ち替えて、前端のスプーン状の掻き混ぜ部２により、飲食物Ｆととろみ剤Ｔを掻き混ぜている状態の斜視図である。
【図１０】介護用掻き混ぜ具Ｓ1 を用いて、介護者Ｎが嚥下障害者Ｐに食事介助している状態の斜視図である。
【図１１】（ａ），（ｂ）は、それぞれ本発明に係る介護用掻き混ぜ具Ｓ2 の平面図及び中央縦断面図である。
【図１２】（ａ），（ｂ）は、それぞれ本発明に係る介護用掻き混ぜ具Ｓ3 の平面図及び中央縦断面図である。
【図１３】（ａ），（ｂ）は、それぞれ本発明に係る介護用掻き混ぜ具Ｓ4 の平面図及び中央縦断面図である。
【図１４】（ａ），（ｂ）は、それぞれ本発明に係る介護用掻き混ぜ具Ｓ5 の平面図及び中央縦断面図である。
【図１５】（ａ）は、本発明に係る介護用掻き混ぜ具Ｓ6 の斜視図であり、（ｂ），（ｃ）は、それぞれ（ａ）のＹ1 −Ｙ1 線及びＹ2 −Ｙ2 線断面図である。
【図１６】（ａ）は、フォーク状の掻き混ぜ具６の部分平面図及び部分側面図であり、（ｂ）は、多数の小孔を有する平板へら状の掻き混ぜ部７の部分平面図である。
【発明を実施するための形態】
【００２３】
以下、複数の実施例を挙げて、本発明について更に詳細に説明する。
【実施例１】
【００２４】
本発明の実施例１の介護用掻き混ぜ具Ｓ1 が、図１〜図４に示されている。介護用掻き混ぜ具Ｓ1 は、樹脂の射出成形品であって、側面視で直線状であって、横断面が横長の長方形状の柄部１の前端部に、掻き混ぜ部２が一体に形成されている。掻き混ぜ部２は、平面視で楕円に近い形状であって、中央部が最も低くなるような凹状に形成されたスプーン状であって、飲食物を掻き混ぜる機能と、とろみ状の飲食物を掬い取る機能とを有する部分である。掻き混ぜ部２における柄部１との接続側の部分は、当該柄部１に向けて漸次その幅が狭くなることで、当該掻き混ぜ部２と柄部１は一体化されている。図４（ａ）に示されるように、側面視において、掻き混ぜ部２は、直線状の柄部１の前端から斜上方に向けて緩やかにわん曲されることで、柄部１における計量容器部Ｋ1 の側を持った状態で、スプーン状の掻き混ぜ部２により飲食容器２２内のとろみ状の飲食物Ｆを掬い取ることができる形状になっている。
【００２５】
柄部１の後端部には、平面視で細長比の大きな略方形状をした計量容器部Ｋ1 が、長辺の側が柄部１の長手方向に沿った形態で一体に形成されている。計量容器部Ｋ1 は、収容容器２１（図７参照）に収容されたとろみ剤Ｔを収容して計量する部分であって、スプーン状の前記掻き混ぜ部２の掬い面の側が開口された箱状をなすことで、とろみ剤Ｔの計量空間１１が形成されている。略長方形状をした前記計量容器部Ｋ1 の２辺の長辺となる部分は、いずれも直線状であるが、２辺の短辺のうち掬い部２に近い側の辺は、直線状であるが、掬い部２に対して遠い側の辺は、手で握り易いように、半円弧状に形成されている。計量容器部Ｋ1 の計量空間１１の開口面、或いは計量容器部Ｋ1 の上面は、側面視で直線状をした柄部１の上面の延長面上に存在している。このため、柄部１を基準にすると、計量容器部Ｋ1 は、そのほぼ全体が当該柄部１よりも低い部分に存在している。計量空間１１の長手方向の両端部は、いずれも平面視で半円弧状をなしていて、計量空間１１の深さは、全ての部分で同一である。計量容器部Ｋ1 の幅は、柄部１の幅よりも広いので、当該柄部１における計量容器部Ｋ1 との接続部は、当該計量容器部Ｋ1 に向けて漸次幅が広くなっている。
【００２６】
図１、図４及び図５に示されるように、計量空間１１の長手方向に沿った対向内側面には、全容量の半分を示す表示ライン３が、柄部１の長手方向に沿って形成されている。表示ライン３は、断面が鈍角のＶ字溝で形成されて、樹脂の射出成形時に無理抜きにより、同時に形成される。後述のように、実施例１の介護用掻き混ぜ具Ｓ1 の計量容器部Ｋ1 の計量空間１１の容量は、７．４ｃｃであり、この数字及び単位記号を、柄部１の計量容器部Ｋ1 の側の幅広の部分に表示してもよい。全容量の半分を示す表示ライン３を設けることで、小容量の計量が可能となる。
【００２７】
また、図６（ａ）に示されるように、介護用掻き混ぜ具Ｓ1 の柄部１の後端部は、柄部１及び掻き混ぜ部２に比較して厚肉であって、しかも容積の大きな計量容器部Ｋ1 が一体に設けられているため、当該掻き混ぜ具Ｓ1 の全体の柄部１の長手方向に沿った重心位置Ｇを前記計量容器部Ｋ1 内に配置することが可能となる。この重心位置Ｇの配置に加えて、計量容器部Ｋ1 のほぼ全体が、柄部１及び掻き混ぜ部２に対して下方に配置されている。掻き混ぜ具Ｓ1 の柄部１の方向に沿った重心位置Ｇと、柄部１及び掻き混ぜ部２に対する計量容器部Ｋ1 の配置構造との相乗によって、載置面Ｅに掻き混ぜ具Ｓ1 を載置すると、前端の掻き混ぜ部２が載置面Ｅに接触することなく、当該載置面Ｅに掻き混ぜ具Ｓ1 を載置することが可能となって、掻き混ぜ具Ｓ1 を衛生的に使用できる。なお、図６（ｂ）は、一般のスプーンＳ’では、載置面Ｅに載置した場合に、前端の掬い部２’が載置面Ｅに接触することを示している。
【００２８】
そして、上記した介護用掻き混ぜ具Ｓ1 を使用して、嚥下障害者の飲食者にとろみを付けるために、とろみ剤Ｔの計量と、とろみ剤Ｔが添加された飲食物の掻き混ぜとを行うには、以下のようにして行う。まず、図７に示されるように、嚥下障害者の介護者が、介護用掻き混ぜ具Ｓ1 の前後端を反転させて、柄部１における掻き混ぜ部２に近い側を手Ｈで持って、後端側の計量容器部Ｋ1 により、収容容器２１に収容されているとろみ剤Ｔを掬い上げて、計量空間１１にすりきり一杯又は表示ライン３に基づいて半分だけ収容することで、当該とろみ剤Ｔの計量が行われる。計量空間１１にとろみ剤Ｔをすりきり一杯に収容するか、半分だけ収容するかによって、当該とろみ剤Ｔの重量は、予め分かる。
【００２９】
その後に、図８に示されるように、介護用掻き混ぜ具Ｓ1 の掻き混ぜ部２の側を持ったままで、当該掻き混ぜ具Ｓ1 の全体を傾けることで、計量空間１１に収容されているとろみ剤Ｔは、嚥下障害者の飲食容器２２に収容された飲食物Ｆに対して添加される。とろみ剤Ｔの添加の直後に、図９に示されるように、介護者は、前後反転された掻き混ぜ具Ｓ1 の前後端を元の状態に戻して（再反転させて）、当該掻き混ぜ具Ｓ1 の柄部１における計量容器部Ｋ1 の側の端部と当該計量容器部Ｋ1 とを一緒に持った状態で、前端の掻き混ぜ部２により、飲食物Ｆととろみ剤Ｔを掻き混ぜる。
【００３０】
このように、掻き混ぜ具Ｓ1 には、飲食物ととろみ剤Ｔとの掻き混ぜ、又は飲食を行う掻き混ぜ部２と、とろみ剤Ｔの計量を行う計量容器部Ｋ1 とが、一つの器具に一体に設けられているため、介護者は、作業の途中で、掻き混ぜ具Ｓ1 の前後端を反転させて持ち替えることで、「とろみ剤計量添加作業」と「とろみ剤掻き混ぜ作業」との２つの作業を、一連の動作の中で、短時間に行える。この結果、とろみが付けられた飲食物内にダマが発生することなく、嚥下障害者が飲食し易いとろみ付飲食物を迅速に作ることができる。
【００３１】
また、嚥下障害者Ｐが自身で食事するのが困難な場合には、図１０に示されるように、介護者Ｎが掻き混ぜ具Ｓ1 の計量容器部Ｋ1 の側を持って、スプーン状の掻き混ぜ部２により飲食容器２２内から掬い取った飲食物を、嚥下障害者Ｐの口部内に挿入して、食事介助することも可能である。
【００３２】
上記形状の介護用掻き混ぜ具Ｓ1 を成形金型を用いて、ポリプロピレン樹脂の射出成形により形成した。柄部１には、適度なしなり（撓み性）があって使い勝手が良好であった。とろみ剤として、株式会社フードケアの製造に係る「ネオハイトロミール（３）〔登録商標〕」を使用して、計量精度と粘度値との各測定を行った。介護用掻き混ぜ具Ｓ1 の計量容器部Ｋ1 の計量空間１１の容積は、本とろみ剤の見掛け比重を考慮して、７．４ｃｃとした。計量精度の測定では、計量容器部Ｋ1 の計量空間１１に、本とろみ剤をすりきり一杯に収容して行い、粘度値の測定は、計量容器部Ｋ1 の計量空間１１に、すりきり一杯に収容された本とろみ剤を１００ｇの水に加え、素早く掻き混ぜ具Ｓ1 の掻き混ぜ部２で掻き混ぜた。３名の被験者Ａ，Ｂ，Ｃによる計量精度及び粘度値の各測定結果は、表（１）及び表（２）に示される通りであって、いずれも実用上問題のない範囲であった。なお、とろみの程度を示す「粘度値」に関しては、「薄いとろみ」では、５０〜１５０（ｍＰＡ・ｓ）であり、「中間のとろみ」では、１５０〜３００（ｍＰＡ・ｓ）であり、「濃いとろみ」では、３００〜５００（ｍＰＡ・ｓ）であり、上記測定に係る粘度値は、「濃いとろみ」に分類される。
【００３３】
【表１】
2018011750.tif 000003
【００３４】
【表２】
2018011750.tif 000004
【００３５】
使用材料をポリアセタール樹脂に変更して、上記形状の介護用掻き混ぜ具Ｓ1 を射出成形により形成して、上記と同様の計量精度及び粘度値の各測定の結果が、それぞれ表（３）及び表（４）に示されており、計量精度及び粘度値の偏差に関しては、表（１）及び表（２）で示される上記測定よりもいずれも僅かに向上しており、いずれも実用上問題のない範囲であった。
【００３６】
【表３】
2018011750.tif 000005
【００３７】
【表４】
2018011750.tif 000006
【実施例２】
【００３８】
本発明の実施例２の介護用掻き混ぜ具Ｓ2 は、図１１に示されるように、計量容器部Ｋ2 の平面形状が、長軸が柄部１の方向に沿った楕円状をなしていて、計量空間１２の形状は、平面視において計量容器部Ｋ2 の形状に対応した断面状をなしている点のみが、実施例１の介護用掻き混ぜ具Ｓ1 と異なる。計量容器部Ｋ2 の全体形状が、柄部１の長手方向に沿って長軸を有する楕円状であるので、とろみ剤Ｔと飲食物Ｆとの掻き混ぜ時、及び前端のスプーン状の掻き混ぜ部２を使用する食事介助時において、掻き混ぜ具Ｓ2 を持ち易い利点がある。
【実施例３】
【００３９】
本発明の実施例３の介護用掻き混ぜ具Ｓ3 は、図１２に示されるように、計量容器部Ｋ3 の平面形状が、柄部１の方向に沿って後端側に向けて漸次幅広となった形状であり、計量空間１３の形状は、平面視において計量容器部Ｋ3 の形状に対応した断面状をなしている点のみが、実施例１の介護用掻き混ぜ具Ｓ1 と異なる。計量容器部Ｋ3 の全体形状が、上記のようであるので、とろみ剤Ｔと飲食物Ｆとの掻き混ぜ時、及び前端のスプーン状の掻き混ぜ部２を使用する食事介助時において、掻き混ぜ具Ｓ3 を持ち易い利点がある。
【実施例４】
【００４０】
本発明の実施例４の介護用掻き混ぜ具Ｓ4 は、図１３に示されるように、実施例１の介護用掻き混ぜ具Ｓ1 において、計量容器部Ｋ1 の計量空間１１の開口を上下反転させて、スプーン状の掻き混ぜ部２の掬い面と反対側に形成した点のみが異なる。即ち、介護用掻き混ぜ具Ｓ4 の計量容器部Ｋ4 の平面形状は、長辺が柄部１の長手方向に沿った略長方形状をなしていて、スプーン状の掻き混ぜ部２の掬い面と反対側に計量空間１４の開口が形成されている。介護用掻き混ぜ具Ｓ4 によれば、当該掻き混ぜ具Ｓ4 を表裏反転させて、計量容器部Ｋ4 内のとろみ剤Ｔを飲食容器２２内の飲食物Ｆに添加した後に、掻き混ぜ具Ｓ4 を元の状態に表裏再反転させることなく、表裏がそのままの状態で、当該掻き混ぜ具Ｓ4 の前後端を反転させて、スプーン状の掻き混ぜ部２により、飲食物Ｆととろみ剤Ｔとを掻き混ぜられる。
【実施例５】
【００４１】
本発明の実施例５の介護用掻き混ぜ具Ｓ5 は、図１４に示されるように、角筒状の計量容器部Ｋ5 を備えていて、当該計量容器部Ｋ5 の後端面が開口されて、内部の空間が計量空間１５となった構成である。
【実施例６】
【００４２】
図１５に、本発明の実施例６の介護用掻き混ぜ具Ｓ6 が示されている。柄部１の後端部に一体に形成された平面視で長方形状の計量容器部Ｋ6 は、深さ方向の途中に仕切り板部４が設けられることで、反対面にそれぞれ開口された容積の異なる計量空間１６ａ，１６ｂがそれぞれ形成されている。柄部１の先端部には、横断面視で僅かにわん曲したへら状の掻き混ぜ部５が一体に形成されている。介護用掻き混ぜ具Ｓ6 は、容量の異なる２種類の計量空間１６ａ，１６ｂを有しているので、すりきり一杯に収容することで、異なる重量のとろみ剤Ｔを計量できる。また、掻き混ぜ部５は、横断面視で僅かにわん曲したへら状をなしているのて、掻き混ぜ効果が高まる。
【００４３】
上記実施例１〜６において、種々の形態の計量容器部Ｋ1 〜Ｋ6 を示したが、柄部１の前端部に一体に設けられる掻き混ぜ部に関しても、スプーン状の掻き混ぜ部２、横断面で僅かにわん曲したへら状の掻き混ぜ部５に限定されず、嚥下障害者の飲食容器に収容された飲食物Ｆととろみ剤Ｔとを掻き混ぜることができれば、いかなる形状であってもよい。例えば、図１６（ａ），（ｂ）に示されるように、フォーク状の掻き混ぜ部６、或いは多数の小孔が形成された平板へら状の掻き混ぜ部７であってもよい。但し、スプーン状の掻き混ぜ部２の場合には、とろみ状の飲食物を掬い取ることができて、掻き混ぜ機能のみならず、飲食機能をも有することになって、便利である。
【００４４】
また、上記各実施例１〜６の介護用掻き混ぜ具Ｓ1 〜Ｓ6 は、全体が樹脂で成形されているが、金属で成形することも可能であり、製作可能であれば、材質は、問わない。
【符号の説明】
【００４５】
Ｅ：載置面
Ｆ：飲食物
Ｇ：掻き混ぜ具の重心位置
Ｈ：介護者の手
Ｋ1 〜Ｋ6 ：計量容器部
Ｎ：介護者
Ｐ：嚥下障害者
Ｓ1 〜Ｓ6 ：介護用掻き混ぜ具
Ｔ：とろみ剤
１：掻き混ぜ具の柄部
２，５〜７：掻き混ぜ具の掻き混ぜ部
３：計量空間の表示ライン
11〜15,16a,16b：計量空間
【図１】
2018011750.tif 000007
【図２】
2018011750.tif 000008
【図３】
2018011750.tif 000009
【図４】
2018011750.tif 000010
【図５】
2018011750.tif 000011
【図６】
2018011750.tif 000012
【図７】
2018011750.tif 000013
【図８】
2018011750.tif 000014
【図９】
2018011750.tif 000015
【図１０】
2018011750.tif 000016
【図１１】
2018011750.tif 000017
【図１２】
2018011750.tif 000018
【図１３】
2018011750.tif 000019
【図１４】
2018011750.tif 000020
【図１５】
2018011750.tif 000021
【図１６】
2018011750.tif 000022